(57)【要約】【課題】従来技術の移動車輌では、車椅子を使用する下半身障害者が遠距離移動の際、移動車輌への乗降及び、その移動車輌で目的地までの移動の際は、介護人等の手助けを受けることが必要であった。本発明は車椅子使用の下半身障害者自身で移動車輌への乗降が可能であり、なおかつ、車椅子使用の下半身障害者自身での遠距離移動を可能にする機能構成をもつ移動用車輌を提供することを課題とする。【解決手段】本発明は車椅子を使用する下半身障害者自身で、介護人等の手助けを受けることなく移動車輌への乗降が可能であり、なおかつ、遠距離移動の際、車椅子を使用する下半身障害者自身の上肢のみで移動車輌の制動操作が可能な機能を有する構成の移動車輌を提供することである。【選択図】 図１
2008188138.tif 000002
【特許請求の範囲】
【請求項１】
車椅子使用の下半身障害者が、介護人等の手助けを受けることなく、遠距離移動を可能にする装置を有する事を特徴とする移動用車輌。
【請求項２】
車椅子使用の下半身障害者が、介護人等の手助けを受けることなく、移動用車輌に乗降する事が可能な装置を有する事を特徴とする請求項１記載の移動用車輌。
【請求項３】
車椅子使用の下半身障害者が、上肢のみで制動操作が可能な装置を有する事を特徴とする請求項１記載の移動用車輌。
【発明の詳細な説明】
【技術分野】
【０００１】
本発明は、車椅子使用の下半身障害者が介護人等の手助けを受けることなく、乗降することが可能であり、かつ車椅子使用の下半身障害者自身で遠距離移動を可能にする機能を有する事を特徴する移動用車輌に関する事である。
【背景技術】
【０００２】
従来技術において、車椅子使用の下半身障害者が遠距離移動の際、介護人等の手助けを受け移動車輌へ乗降し、なおかつ、その移動車輌で目的地までの移動の際は介護人等の手助けを受けることが必要であった。
【発明の開示】
【発明が解決しようとする課題】
【０００３】
しかしながら、従来技術の移動車輌では、車椅子を使用する下半身障害者が遠距離移動の際、移動車輌への乗降及び、その移動車輌で目的地までの移動の際は、介護人等の手助けを受けることが必要であった。本発明は車椅子使用の下半身障害者自身で移動車輌への乗降が可能であり、なおかつ、車椅子使用の下半身障害者自身での遠距離移動を可能にする機能構成をもつ移動用車輌を提供することを課題とする。
【課題を解決するための手段】
【０００４】
以上の課題を解決するために、本発明は車椅子を使用する下半身障害者自身で、介護人等の手助けを受けることなく移動車輌への乗降が可能であり、なおかつ、遠距離移動の際、車椅子を使用する下半身障害者自身の上肢のみで移動車輌の制動操作が可能な機能を有する構成の移動車輌を提供することである。
【発明の効果】
【０００５】
本発明は、車椅子を使用する下半身障害者が、介護人等の手助けなしでも、乗降が可能であり、なおかつ、上肢で制動操作が可能な装置を有する事を特徴とする移動用車輌を提供する。
【発明を実施するための最良の形態】
【０００６】
この発明の一実施形態を詳しく説明する。本発明の請求項１に 記載の発明は、車椅子使用の下半身障害者が、介護人等の手助けなしでも遠距離移動を可能にする装置を有する事を特徴とする移動用車輌である。
【０００７】
本発明の請求項２記載の発明は、車椅子使用の下半身障害者が、介護人等の手助けなしでも移動用車輌に乗降する事の可能な装置を有する事を特徴とする構成のものである。
【０００８】
本発明の請求項３記載の発明は、車椅子使用の下半身障害者が、上肢のみで制動操作が可能な装置を有する事を特徴とする構成のものである。
引続き、本発明の実施例を図面に基づき詳しく説明する。
【実施例】
【０００９】
まず図１は本発明の一実施例にかかる車椅子での乗車前概念図であり、図２は車椅子上昇完了概念図、図３は車椅子乗車完了概念図、図４は昇降機本体Ａ、と車椅子使用の下半身障害者Ｂ、との関係概念図、図５は昇降機組立図、図６は台座引き込み用ガイドレール部品図、図７は台座引き込み用シリンダー取り付け金物部品図、図８はガイドローラー及びシリンダー支持金物組立図、図９はシリンダー支持金物部品図、図１０は制動装置概念図、図１１は伸縮ハンドルシャフト装置概念図・部品図を示すものである。
【００１０】
図１によると、移動用車輌のスライド式等の運転席側ドアーを開放し、車椅子使用の下半身障害者Ｂが、車椅子に乗ったまま状態で、昇降機本体Ａの台座４，の上に乗り込む事を示すものである。
【００１１】
図２によると、車椅子使用の下半身障害者Ｂが、車椅子に乗った状態で、シリンダー作動用油圧ユニット２２，を遠隔操作し、台座昇降用シリンダー２，により、台座４，を車輌室内床高さまで垂直上昇する事を示すものである。
【００１２】
図３によると、台座４，を車輌室内引き込み高さまで垂直上昇が完了すると、車椅子使用の下半身障害者が台座引き込み用シリンダー１、のシリンダー作動用油圧ユニット２２，を遠隔操作し、台座４，を台座引き込み用ガイドレール３，を介し車輌室内に水平に引き込み、車椅子使用の下半身障害者Ｂが移動用車輌の制動操作の可能な運転位置まで、台座４，を移動する事を示すものである。
【００１３】
図４には、下半身障害者Ｂ、が移動車輌に乗降する際の昇降機本体Ａと、車椅子を使用する下半身障害者Ｂ、との位置関係を示すものである。
【００１４】
図５によると、昇降機本体組立図である、各部品を図示されたように組立てられ、昇降機本体の機能が構成されることを示すものである。
【００１５】
台座引き込み用ガイドレール３，は車輌室内床にボルト・ナット等にて固定され、台座引き込み用シリンダー取り付け金物６，にボルト・ナット等を介して、台座引き込み用シリンダー１，を取り付ける、台座引き込み用シリンダー１，の本体は車輌室内床にボルト・ナット等にて固定する機能で構成される。
【００１６】
台座４，にシリンダー支持金物５，台座昇降用シリンダー２，を取り付ける、台座引き込み用シリンダー取り付け金物６，サイドガイドローラー７，ガイドローラー８，それぞれの組立を行い、台座引き込み用ガイドレール３，の中に組み入れる機能で構成される。
【００１７】
台座引き込み用ガイドレール３，は車輌室内床にボルト・ナット等にて固定され、台座引き込み用シリンダー取り付け金物６，にボルト・ナット等を介して、台座引き込み用シリンダー１，を取り付け、台座引き込み用シリンダー１，本体を車輌室内床にボルト・ナット等にて固定する機能で構成される。
【００１８】
図８によると、ガイドローラー及びシリンダー支持金物組立図であり、シリンダー支持金物５，にサイドガイドローラー７，及びガイドローラー８，それぞれのピンで組み立てる構成を示すものである。
【００１９】
図１０によると、制動装置概念図である、ハンドル９，を移動用車輌の前方方向に押す事により伸縮ハンドルシャフト装置１９，のはたす機能により、ハンドルシャフト上部１８，が移動用車輌の前方方向移動する、その作用により、ハンドルシャフト上部１８，に固定された制御用金物１１，がブレーキ作動用ピストン１２，を押す事になり、その圧力作用により、ブレーキ制御パイプ１３，中のブレーキオイルに圧力が加わりその働きにより、移動用車輌本体のブレーキ制御装置に加わった圧力に応じ作動する機能を有する構成を示すものである。
【００２０】
移動用車輌を発進するには、ハンドル９，を運転者側手前方向に引く事により、伸縮ハンドルシャフト装置１９，のはたす機能により、ハンドルシャフト上部１８，に固定された制御用金物１１，及びアクセル制御用バネ１４，が運転者側に引かれ、アクセル制御用金物１０，が運転者側に移動するため、アクセル制御ワイヤー１６，が運転者側に引かれる、その作用で移動用車輌本体のアクセル制御装置に伝達される。スムーズなアクセル操作を可能にするため、アクセル制御用バネ１４，を介し、アクセル制御用金物１０，をスムーズに作動させる機能を有する構成のものである。
【００２１】
伸縮ハンドルシャフト装置１９，はハンドルシャフト上部１８，とハンドルシャフト下部２０，ハンドルシャフト抜け止めピン２１，とでの構成されるものである。
【００２２】
ハンドルシャフト上部１８，のスライドストロークの範囲の外部は凸形の加工が施してあり、ハンドルシャフト下部２０，スライドストロークの範囲の内部には、凹形の加工が施してある。ハンドルシャフト下部２０，のスライド部に溝切り加工が施されおり、ハンドルシャフト上部１８，スライド部にねじ切り加工が施されている、ハンドルシャフト下部２０，の中に、ハンドルシャフト上部１８，を挿入し、ハンドルシャフト抜け止めピン２１，ねじ込み、ハンドルシャフト抜け止めの機能構成である。
【００２３】
移動用車輌本体内部には、乗車し運転姿勢に至ると、車椅子を固定するための装置が装備され、シートベルトも装着可能な機能構成である。
【００２４】
停車中のブレーキシステムについては、通常の手引きサイドブレーキ形態でよい、変速機についてはコラム式オートマチックの構成である。
【００２５】
「他の実施形態」
実施形態では、各シリンダーの作動方法は油圧作動であるが、空気圧もしくは電気動力作動でもよい、乗車方法は運転席側とは限らず、助手席側、後方扉側方式の形態機能のものでもよい。
【図面の簡単な説明】
【００２６】
【図１】本発明の一実施形態を示す車椅子での乗車前概念図である。
【図２】車椅子上昇完了概念図である。
【図３】車椅子乗車完了概念図である。
【図４】昇降機本体概念図である。
【図５】昇降機本体組立図である。
【図６】台座引き込み用ガイドレール部品図である。
【図７】台座引き込み用シリンダー取り付け金物部品図である。
【図８】ガイドローラー及びシリンダー支持金物組立図である。
【図９】シリンダー支持金物部品図である。
【図１０】制動装置概念図である。
【図１１】伸縮ハンドルシャフト装置概念図・部品図である。
【符号の説明】
【００２７】
１            台座引き込み用シリンダー
２            台座昇降用シリンダー
３            台座引き込み用ガイドレール
４            台座
５            シリンダー支持金物
６            台座引き込み用シリンダー取り付け金物
７            サイドガイドローラー
８            ガイドローラー
９            ハンドル
１０          アクセル作動用金物
１１          制御用金物
１２          ブレーキ作動用ピストン
１３          ブレーキ制御パイプ
１４          アクセル制御用バネ
１５          アクセルワイヤー固定用金物
１６          アクセル制御ワイヤー
１７          ハンドルシャフト用カバー
１８          ハンドルシャフト上部
１９          伸縮ハンドルシャフト装置
２０          ハンドルシャフト下部
２１          ハンドルシャフト抜け止めピン
２２          シリンダー作動用油圧ユニット
２３          台座昇降用シリンダー油圧配管
２４          台座引き込み用シリンダー油圧配管
Ａ            昇降機本体
Ｂ            車椅子を使用する下半身障害者
【図１】
2008188138.tif 000003
【図２】
2008188138.tif 000004
【図３】
2008188138.tif 000005
【図４】
2008188138.tif 000006
【図５】
2008188138.tif 000007
【図６】
2008188138.tif 000008
【図７】
2008188138.tif 000009
【図８】
2008188138.tif 000010
【図９】
2008188138.tif 000011
【図１０】
2008188138.tif 000012
【図１１】
2008188138.tif 000013